(57)【要約】      （修正有）【課題】販売促進を向上させるため、商品から突出する表示部を有するラベルにて販促物や添付文書等を留めるラベル付き容器を提供する。【解決手段】下面全域に粘着層が形成されたベースシート３と、該ベースシート３上に表面にＰＯＰ表示などの印刷表示面を有する表示シート４を、折り目仮想線を境に糊殺し処理の施された非接着領域７と糊殺し処理の施されない接着領域に二分して積層しＰＯＰラベルを形成する。折り目仮想線を境にしてベースシート３の第１の領域の粘着層を容器の扁平部１２の端面に接着し、非接着領域７に接する第２の領域の露呈する粘着層に販促物等１３を接着する。又、容器は自立型の先細り容器、若しくは自立型のヘッダー付き包装箱、或いは袋状容器とする。【選択図】図１
0003178683.tif 000002
【実用新案登録請求の範囲】
【請求項１】
下面全域に粘着層２が形成されたベースシート３と、該ベースシート３上に表面に印刷表示面４ａを有する表示シート４を、折り目仮想線６を境に糊殺し処理の施された非接着領域７と糊殺し処理の施されない接着領域に二分して積層しＰＯＰラベルを形成すると共に、前記折り目仮想線６を境にしてベースシート３の第１の領域３１の粘着層を容器１０の扁平部１２の端面に接着し、前記非接着領域７に接する第２の領域３２の露呈する粘着層に販促物等や添付文書１３を接着したことを特徴とするＰＯＰラベル付き容器。
【請求項２】
前記扁平部を有する容器は、自立型の先細り容器である請求項１に記載のＰＯＰラベル付き容器。
【請求項３】
前記扁平部を有する容器は、自立型のヘッダー付き包装箱である請求項１に記載のＰＯＰラベル付き容器。
【請求項４】
前記扁平部を有する容器は、袋状容器である請求項１に記載のＰＯＰラベル付き容器。
【請求項５】
前記表示シートの中央上部に吊下げ陳列用のバーに挿通される開口４ｃが形成されている請求項１又は４に記載のＰＯＰラベル付き容器。
【考案の詳細な説明】
【技術分野】
【０００１】
本考案は、広告宣伝目的のため商品から一部が突出するように貼着されてＰＯＰ効果を発揮でき、同時におまけや応募はがき等の販促物、添付文書等（以下、販促物等という。）を商品に留めることのできるラベルを貼り付けた容器に関する。
【背景技術】
【０００２】
一般に、店頭での商品の陳列販売形態で、ＰＯＰ（Ｐｏｉｎｔ  Ｏｆ  Ｐｕｒｃｈａｓｅ）ラベルと称される商品の販売促進を狙ったラベルが使用されている。ＰＯＰラベルは商品の本体や容器に貼着されているラベルとは別に、消費者に商品の特徴や効能を視覚的に訴える狙いで開発されたラベルで、特許文献１の例のように商品本体や容器に一部が突出するように別途貼着され、広告宣伝効果を発揮することが期待されている。
【０００３】
そして、販売者側はさらに商品の販売促進を図るために、商品におまけ等の景品を付けて陳列しようとする。おまけ等の景品は通例、商品にテープやラベル、或いは両面テープ、ヘッダー袋やシュリンクラップ等で留めている。特許文献２はおまけ商品を収容する袋体を設けた広告用札が開示されている。また、特許文献３には試用品やおまけを商品に貼り付けるテープ体が開示されている。
【先行技術文献】
【特許文献】
【０００４】
【特許文献１】特開２００８−１９１５２２号公報
【特許文献２】特開２００３−４３９１９号公報
【特許文献３】特開２００５−５３９９４号公報
【考案の概要】
【考案が解決しようとする課題】
【０００５】
しかしながら、販売促進のためとは言え商品にＰＯＰラベルを貼着した上にさらにおまけ等の景品の貼付けのためラベルやテープ等を用いることは不経済であり体裁も良くなく、広告宣伝コストの削減と商品の販売荷姿のスマートさが要請されている。
【０００６】
本考案は、このような課題を考慮してなされたものであり、商品の店頭での販売に宣伝広告効果と販促物等を留める機能を併せもつＰＯＰラベル付きの容器を提供することを目的とする。
【課題を解決するための手段】
【０００７】
上記目的を達成するため、本考案は、下面全域に粘着層２が形成されたベースシート３と、該ベースシート３上に表面に印刷表示面４ａを有する表示シート４を、折り目仮想線６を境に糊殺し処理の施された非接着領域７と糊殺し処理の施されない接着領域に二分して積層したＰＯＰラベルを形成すると共に、前記折り目仮想線６を境にしてベースシート３の第１の領域３１を容器の扁平部１２の端面に、非接着領域７と接する第２の領域３２の露呈する粘着層に販促物等１３を接着した。
【０００８】
また、前記扁平部を有する容器は、自立型の先細り容器やヘッダー付き包装箱とした。
【０００９】
また、前記扁平部を有する容器は、袋状容器とし、表示シートの中央上部に吊下げ陳列用のバーに挿通される開口を形成した。
【考案の効果】
【００１０】
本考案によれば、ＰＯＰラベルとしての販売促進効果と相俟って、販促物等を留めることにより消費者の購買意欲を一層促進させる効果が期待できる。
【図面の簡単な説明】
【００１１】
【図１】本考案の実施例を示すＰＯＰラベルを自立型チューブ容器に貼着し、販促物等を留めた商品の販売荷姿を示す斜視図である。
【図２】同、正面図である。
【図３】同、背面図である。
【図４】同、拡大した部分側面図である。
【図５】同、ＰＯＰラベルの断面図である。
【図６】本考案のＰＯＰラベルを自立型パウチ容器に貼着し、販促物等を留めた販売荷姿を示す斜視図である。
【図７】本考案のＰＯＰラベルを自立型クリアケースに貼着し、販促物等を留めた販売荷姿を示す斜視図である。
【図８】本考案のＰＯＰラベルを自立型紙パックに貼着し、販促物等を留めた販売荷姿を示す斜視図である。
【図９】本考案のＰＯＰラベルを自立型のヘッダー付き包装箱に貼着し、販促物等を留めた販売荷姿を示す斜視図である。
【図１０】吊下げ陳列される袋状容器にＰＯＰラベルを貼着し、販促物等を留めた販売荷姿を示す正面図である。
【考案を実施するための形態】
【００１２】
以下、本考案を図示する実施形態により具体的に説明する。
図は本考案の一実施形態の構成を示しており、ＰＯＰラベル１は図５の断面図に示すように、下面全域に粘着層２が形成されて商品や容器に貼り付けられるベースシート３と、該ベースシート３上に、表面に販売促進のためのＰＯＰ表示などの印刷表示面４ａを有する表示シート４が接着層５を介して積層されている。表示シート４とベースシート３の間の接着層５には容器に貼着するときの折り目仮想線６を境にしたラベルの長さ方向（図でＸの矢印で示す。）の領域に、ニス層が形成され、所謂、糊殺し処理により非接着領域７が形成されて積層され、
該非接着領域７で表示シート４とベースシート３とが剥離するように構成されている。
【００１３】
実施例では、ベースシート３は２０μｍ厚のポリプロピレンフィルムを用い、表示シート４は５０μｍ厚のポリエチレンテレフタレートフィルムを用い、両フィルムを積層してＰＯＰラベル基材としている。また、ベースシート３の粘着層２は、例えば、ゴム系、アクリル系、ウレタン系の公知の感圧粘着剤により形成される。又、ベースシート３と表示シート４を積層する接着層５は公知の接着剤を用い、感圧粘着剤であってもよい。８はＰＯＰラベル１を担持する離型紙である。更に、ラベルの形状は限定されず、矩形状でも円形状でもよい。
【００１４】
ＰＯＰラベル１が商品に貼着された状態は図１の斜視図により明らかなように、先細り容器である自立型チューブ容器１０のキャップ１１と反対側のシールされた扁平部１２に貼着される。即ち、ＰＯＰラベル１は扁平部１２の端面を跨ぐようにベースシート３は折り目仮想線６で二分される第１の領域３１がチューブ容器１０の表面側１０ａに粘着層２により接着され、ベースシート３の非接着領域７と接する第２の領域３２に販促物等１３の上縁部１３ａが露呈する粘着層２により接着される（図４参照）。
【００１５】
ベースシート３は第１の領域３１が容器１０の扁平部１２に貼着され、第２の領域３２に販促物等１３が接着されると、販促物等１３の自重により表示シート４との間の糊殺し処理が施された非接着領域７にてベースシート３と表示シート４は剥離して分離し、容器１０の扁平部１２の端面を跨ぐようにして販促物等１３は容器の背面側１０ｂに垂れ下がる。一方、表示シート４はこの非接着領域７で積層されたベースシート３と分離することで表示シート４の上半分が容器１０より自立突出する（図４参照）。
【００１６】
前記ベースシート３により販促物等１３が貼着されたとき、貼着される販促物等１３の被接着域がＰＯＰラベル１の横幅より小さければ販促物等１３の両側に粘着層２の一部２ａ，２ｂが露呈する。この両側に露呈する粘着層２ａ，２ｂにより販促物等１３は容器１０の扁平部１２の背面側１０ｂに部分的に接着されることになり、容器の搬送中においても販促物等１３が容器と一体に保持されることで販促物等の脱落や変形が防止できる。
【００１７】
上記の実施例では先細り容器の代表的な例である自立型のチューブ容器１０にＰＯＰラベルが貼付けられ販促物等が貼着された例を説明したが、容器１０は扁平部を有する自立型の先細り容器全般を含むものであってよい。例えば先細り容器として、図６に示すようなシャンプー等の詰め替え液を収容したパウチ容器２０、図７に示すクリアケース３０（透明なプラスチックシート又はプラスチックフィルムのケースで粧品等の商品を収容する形態の自立型のケース）、図８に示す牛乳パックのような紙パック容器４０や図９に示すヘッダー付き包装箱５０が適用される。
【００１８】
更に、図１０のように扁平部を有する容器は袋状容器６０であってもよく、その場合は容器自体に自立性がないため、容器の外に突出する表示シート４の中央上面４ｂに吊下げ陳列用バー（図示略）に挿通される開口４ｃが形成される。その場合、表示シート４は袋状容器を懸垂保持できる程度の剛性を有するものが用いられる。
【００１９】
本考案はこのように構成され、ＰＯＰラベルは容器の一端に貼着されその略半分が容器の外側に自立突出し、残りの半分には販促物等が貼り付けられる荷姿を呈するから、１枚のラベルにてＰＯＰ表示機能と販促物等の保持機能とをもたせることができ、商品の販売促進効果、広告宣伝コストの削減や商品の販売荷姿の向上が期待できる。
【００２０】
また、販促物等はＰＯＰラベルのラベル幅以下の幅のものとすることで、容器に該販促物等が貼り付けられたとき、販促物等の一部がラベルのベースシートの粘着層により容器表面に保持され、搬送中における販促物等の揺動や変形、脱落を抑えることができる。
【符号の説明】
【００２１】
１    ＰＯＰラベル
２    粘着層
３    ベースシート
３１  第１の領域
３２  第２の領域
４    表示シート
４ｃ  開口
５    接着層
６    折り目仮想線
７    非接着領域
１０  自立型チューブ容器
１２  扁平部
１３  販促物等
２０  パウチ容器
３０  クリアケース
４０  紙パック容器
５０  ヘッダー付き包装箱
６０  袋状容器
【図１】
0003178683.tif 000003
【図２】
0003178683.tif 000004
【図３】
0003178683.tif 000005
【図４】
0003178683.tif 000006
【図５】
0003178683.tif 000007
【図６】
0003178683.tif 000008
【図７】
0003178683.tif 000009
【図８】
0003178683.tif 000010
【図９】
0003178683.tif 000011
【図１０】
0003178683.tif 000012